(57)【要約】      （修正有）【課題】楽器本来の演奏性をもって、携帯情報端末機器から楽音を良好に発生させて演奏を楽しむことができる楽器、およびその楽器に用いられる遠隔操作部材を提供する。【解決手段】演奏に応じて楽音を選択する鍵盤部２を有し、この鍵盤部２の演奏操作に応じてスピーカ部から楽音を発生する楽器本体１と、入力表示部１５ｂのタッチ入力操作に応じて情報を表示すると共にスピーカ部から音を発生する携帯情報端末機器１５と、楽器本体１の鍵盤部２の演奏操作に応じて携帯情報端末機器１５の入力表示部１５ｂをタッチ操作するフレキシブルな遠隔操作部材１６と、を備える。従って、楽器本体１の鍵盤部２を操作して携帯情報端末機器１５のスピーカ部から楽音を発生させる際に、フレキシブルな遠隔操作部材１６によって携帯情報端末機器１５の入力表示部１５ｂを楽器本体１の鍵盤部２の操作に応じてタッチ操作することができる。【選択図】図２
2012194247.tif 000002
【特許請求の範囲】
【請求項１】
演奏に応じて楽音を選択する操作部を有し、この操作部の演奏操作に応じてスピーカ部から楽音を発生する楽器本体と、
入力表示部のタッチ入力操作に応じて情報を表示すると共にスピーカ部から音を発生する携帯情報端末機器と、
前記楽器本体の前記操作部の演奏操作に応じて前記携帯情報端末機器の前記入力表示部をタッチ操作するフレキシブルな遠隔操作部材と、
を備えていることを特徴とする楽器。
【請求項２】
請求項１に記載の楽器において、前記楽器本体には前記携帯情報端末機器を着脱可能に装着する機器装着部が設けられており、前記遠隔操作部材は、前記楽器本体内における前記操作部と前記機器装着部との間に設けられ、且つ前記機器装着部に装着された前記携帯情報端末機器の前記入力表示部を弾力的にタッチ操作することを特徴とする楽器。
【請求項３】
フレキシブルなチューブ内に伝達ワイヤーが移動可能に設けられた伝達線材と、
この伝達線材の一端部に設けられて前記伝達ワイヤーを押圧操作に応じて移動させるための入力操作部と、
前記伝達線材の他端部に設けられて前記伝達ワイヤーの移動に連動して前記伝達線材の前記他端部から衝撃吸収性をもって出没する出力操作部と、
を備えていることを特徴とする遠隔操作部材。
【請求項４】
請求項３に記載の遠隔操作部材において、前記入力操作部は前記伝達線材の前記伝達ワイヤーの前記一端部をその一端部側に向けて押し出す方向に付勢する入力付勢部を有し、前記出力操作部は前記伝達ワイヤーの前記他端部をその他端部側に向けて押し出す方向に付勢する出力付勢部を有し、前記伝達ワイヤーは前記入力付勢部と前記出力付勢部との両方の付勢力によって弛むことなくニュートラル状態で引っ張られていることを特徴とする遠隔操作部材。
【請求項５】
請求項３または請求項４に記載の遠隔操作部材において、前記出力操作部は、前記伝達線材の前記他端部に位置する前記チューブに設けられた出力ホルダ部と、前記伝達線材の前記伝達ワイヤーの前記他端部に取り付けられて前記出力ホルダ部内を移動するスライド部と、前記出力ホルダ部内にスライド可能に配置され、外端部が前記出力ホルダ部内から外部に突出した状態で前記スライド部のスライド動作に応じてスライドする操作接触部と、前記スライド部によって前記操作接触部が押し出される押出力を緩衝して前記操作接触部を弾力的に押し出すための緩衝部材と、を備えていることを特徴とする遠隔操作部材。
【請求項６】
請求項５に記載の遠隔操作部材において、前記緩衝部材は、前記スライド部の押出力を前記操作接触部に弾力的に伝達する第１付勢部と、この第１付勢部の付勢力を更に緩和して前記操作接触部に弾力的に伝達する第２付勢部とを備えていることを特徴とする遠隔操作部材。
【請求項７】
請求項５または請求項６に記載の遠隔操作部材において、前記操作接触部の前記外端部における前記出力ホルダ部内から外部に突出する突出長さを調整する調整部を備えていることを特徴とする遠隔操作部材。
【請求項８】
請求項５〜請求項７のいずれかに記載の遠隔操作部材において、前記操作接触部の前記外端部には弾性変形可能な弾力部が設けられていることを特徴とする遠隔操作部材。
【発明の詳細な説明】
【技術分野】
【０００１】
この発明は、鍵盤楽器、管楽器、弦楽器などの楽器、およびその楽器に用いられる遠隔操作部材に関する。
【背景技術】
【０００２】
例えば、鍵盤楽器においては、特許文献１に記載されているように、楽器本体に設けられた鍵盤部の各鍵を押鍵操作すると、その押鍵操作に応じて楽器本体内のスイッチがそれぞれオンし、このスイッチのオン信号に基づいて楽器本体内に設けられたスピーカ部から楽音を発生するように構成されている。
【先行技術文献】
【特許文献】
【０００３】
【特許文献１】特開平０６−２１４５６９号公報
【発明の概要】
【発明が解決しようとする課題】
【０００４】
しかしながら、このような鍵盤楽器では、鍵盤部の各鍵を押鍵操作してスピーカ部から楽音を発生させて演奏を楽しむことができても、携帯型の情報端末機器であって入力表示部のタッチ入力操作に応じて情報を表示すると共にスピーカ部から音を発生するタッチ入力方式の携帯情報端末機器を楽器本体に着脱可能に装着し、この装着された携帯情報端末機器の入力表示部を鍵盤部の各鍵の押鍵操作に応じてタッチ操作することにより、携帯情報端末機器のスピーカ部から楽音を発生させて演奏を楽しむことはできない。
【０００５】
この場合、携帯情報端末機器は、入力表示部に鍵盤部の各鍵を表示させ、この表示された鍵盤部の各鍵を演奏に応じて押圧操作することにより、楽音を発生させることができても、携帯情報端末機器の入力表示部に表示された鍵盤部の各鍵を押鍵操作しても、鍵盤楽器の鍵のような鍵ストロークがないため、鍵盤楽器のようなリアルな鍵タッチが得られず、演奏性に劣る。
【０００６】
この発明が解決しようとする課題は、楽器本来の演奏性をもって、携帯情報端末機器から楽音を良好に発生させて演奏を楽しむことができる楽器、およびその楽器に用いられる遠隔操作部材を提供することである。
【課題を解決するための手段】
【０００７】
この発明は、演奏に応じて楽音を選択する操作部を有し、この操作部の演奏操作に応じてスピーカ部から楽音を発生する楽器本体と、入力表示部のタッチ入力操作に応じて情報を表示すると共にスピーカ部から音を発生する携帯情報端末機器と、前記楽器本体の前記操作部の演奏操作に応じて前記携帯情報端末機器の前記入力表示部をタッチ操作するフレキシブルな遠隔操作部材と、を備えていることを特徴とする楽器である。
【発明の効果】
【０００８】
この発明によれば、楽器本体の操作部を操作して携帯情報端末機器のスピーカ部から楽音を発生させる際に、フレキシブルな遠隔操作部材によって携帯情報端末機器の入力表示部を楽器本体の操作部の操作に応じてタッチ操作することができる。このため、楽器本体の操作部によるリアルな演奏操作ができるので、楽器本来の演奏性をもって、携帯情報端末機器から楽音を良好に発生させて演奏を楽しむことができる。
【図面の簡単な説明】
【０００９】
【図１】この発明を鍵盤楽器に適用した実施形態１を示した平面図である。
【図２】図１に示された鍵盤楽器のＡ−Ａ矢視における拡大断面図である。
【図３】図２に示された鍵盤楽器の機器装着部に装着された携帯情報端末機器を示した正面図である。
【図４】図２に示された鍵盤楽器内に組み込まれた遠隔操作部材を一部省略して示した拡大断面図である。
【図５】図４に示された遠隔操作部材の伝達線材の要部を示し、（ａ）はその伝達線材のチューブを示した要部の拡大断面図、（ｂ）はその伝達線材の伝達ワイヤーを示した要部の拡大断面図である。
【図６】図２に示された鍵盤楽器において、遠隔操作部材の入力操作部とこれに対応する鍵との対応状態を示した要部の拡大断面図である。
【図７】図６に示された遠隔操作部材の入力操作部が取り付けられる箇所における鍵盤シャーシの要部を示した拡大平面図である。
【図８】図２に示された鍵盤楽器において、遠隔操作部材の出力操作部とこれに対応する携帯情報端末機器との対応状態を断面で示した要部の拡大斜視図である。
【図９】図１に示された鍵盤楽器の回路構成を示したブロック図である。
【図１０】この発明を管楽器に適用した実施形態２を示した断面図である。
【図１１】図１０に示された管楽器において、楽器本体の機器装着部に携帯情報端末機器を装着した状態を示した要部の拡大断面図である。
【図１２】図１１に示された管楽器において、楽器本体の機器装着部から携帯情報端末機器を取り外した状態を示した要部の拡大断面図である。
【発明を実施するための形態】
【００１０】
（実施形態１）
以下、図１〜図９を参照して、この発明を鍵盤楽器に適用した実施形態１について説明する。
この鍵盤楽器は、図１に示すように、楽器本体１を備えている。この楽器本体１には、鍵盤部２が設けられている。この鍵盤部２は、図２に示すように、下部ケースを兼ねる鍵盤シャーシ３と、この鍵盤シャーシ３上に並列に配列させた状態で上下方向に回転可能に設けられた複数の鍵４とを備えている。
【００１１】
この場合、鍵盤シャーシ３上には、図１および図２に示すように、並列に配列された複数の鍵４における鍵配列方向の両側に配置されると共に、複数の鍵４の各後部（図２では右側部）を覆って配置される上部ケース５が設けられている。これにより、鍵盤部２は、複数の鍵４が上方に露出した状態で楽器本体１内に設けられている。また、この上部ケース５の両側部には、図１に示すように、スピーカ部６が設けられており、この上部ケース５の中間部には、後述するスイッチ部７および機器装着部８が設けられている。
【００１２】
ところで、鍵盤部２の各鍵４は、図１および図２に示すように、白鍵４ａおよび黒鍵４ｂを有し、その各後端部にそれぞれ肉厚の薄い屈曲部４ｃが設けられ、この各屈曲部４ｃが鍵配列方向に連続する連結部４ｄにそれぞれ連結され、この連結部４ｄが鍵盤シャーシ３の後部に設けられた鍵取付部３ａにビス３ｂによって取り付けられている。これにより、鍵盤部２の各鍵４は、各屈曲部４ｃを中心に上下方向に回転するように構成されている。
【００１３】
この場合、各鍵４の前後方向（図２では左右方向）におけるほぼ中間部には、図２に示すように、スイッチ押圧部４ｅがそれぞれ設けられている。このスイッチ押圧部４ｅに対応する箇所の鍵盤シャーシ３上には、スイッチ基板１０が鍵配列方向に沿って連続して配置されている。このスイッチ基板１０上には、複数のゴムスイッチ１１が複数の鍵４の各スイッチ押圧部４ｅにそれぞれ対応して設けられている。このゴムスイッチ１１は、鍵４が押鍵操作された際に、スイッチ押圧部４ｅによって押圧操作されることにより、スイッチ信号を出力するように構成されている。
【００１４】
また、鍵盤シャーシ３の後端下部（図２では右端下部）には、図２に示すように、回路基板１２が鍵盤シャーシ３の各ボス部３ｃを介して設けられている。この回路基板１２には、楽器全体の電子回路を制御するのに必要な各種の電子部品が搭載されている。また、この回路基板１２には、スイッチ基板１０、スピーカ部６、スイッチ部７がそれぞれ電気的に接続されている。
【００１５】
この場合、スイッチ基板１０は、図２に示すように、鍵盤シャーシ３の各ボス部３ｄに取り付けられた中継基板１３を介して、回路基板１２と接続ケーブル１４によって電気的に接続されている。さらに、この回路基板１２には、外部機器と電気的に接続するためのコネクタ部１５ｃが設けられている。
【００１６】
ところで、上部ケース５に設けられたスイッチ部７は、図１に示すように、電源スイッチ、音量スイッチ、音色選択スイッチなどの楽器に必要な各種のスイッチを備えているほか、モード切替スイッチ７ａを備えている。このモード切替スイッチ７ａは、鍵盤部２の各鍵４を押鍵操作した際に楽器本体１のスピーカ部６から楽音を発音させる通常の演奏モードと、鍵盤部２の各鍵４を押鍵操作した際に後述する携帯情報端末機器１５から楽音を発音させる特殊な演奏モードとのいずれかに、切り替えるためのスイッチである。
【００１７】
また、楽器本体１の機器装着部８は、図１および図２に示すように、携帯情報端末機器１５が着脱可能に装着するように構成されている。この場合、携帯情報端末機器１５は、図３に示すように、ほぼ四角形の厚みの薄い機器ケース１５ａを有し、この機器ケース１５ａに入力表示部１５ｂが表面に露出して設けられていると共に、機器ケース１５ａの内部にスピーカ部（図示せず）が設けられた構成になっている。
【００１８】
この携帯情報端末機器１５の入力表示部１５ｂは、透明なタッチパルの裏面に表示パネルを重ね合わせたものである。この入力表示部１５ｂは、表示パネルに表示された情報が透明タッチパネルを通して外部から見え、この表示された情報を見ながら透明なタッチパネルをタッチ操作することにより、情報が入力されると共に、入力された情報に応じて表示パネルに情報が表示されるように構成されている。この場合、表示パネルは、液晶表示素子やＥＬ（エレクトロルミネッセンス）表示素子などの平面型の表示素子からなり、電気光学的に情報を表示するように構成されている。
【００１９】
また、この携帯情報端末機器１５が装着する楽器本体１の機器装着部８は、図１および図２に示すように、鍵盤シャーシ３の後端部上に設けられた機器搭載部８ａと、上部ケース５に設けられた機器挿入孔８ｂと備えている。機器搭載部８ａは、図２に示すように、携帯情報端末機器１５の下部を受け止めて保持するように構成されている。機器挿入孔８ｂは、携帯情報端末機器１５を後方（図２では右側）に向けて斜めに傾けた状態で、上部ケース５の上方から斜めに挿入させて機器搭載部８ａに保持させるように構成されている。
【００２０】
これにより、機器装着部８は、図２および図８に示すように、携帯情報端末機器１５の下部を機器搭載部８ａで保持すると共に、携帯情報端末機器１５の中間部を機器挿入孔８ｂで保持することにより、携帯情報端末機器１５の入力表示部１５ｂが上方を向くように、携帯情報端末機器１５を後方（図２では右側）に向けて斜めに傾けた状態で着脱可能に装着し、この状態で携帯情報端末機器１５の上部が上部ケース５の上方に傾いて突出するように構成されている。
【００２１】
この場合、楽器本体１内には、図２に示すように、楽器本体１の鍵盤部２における各鍵４の演奏操作に応じて、携帯情報端末機器１５の入力表示部１５ｂをタッチ操作するフレキシブルな遠隔操作部材１６が、各鍵４にそれぞれ対応して設けられている。
【００２２】
この遠隔操作部材１６は、図４に示すように、フレキシブルなチューブ１８内に伝達ワイヤー１９が移動可能に設けられた伝達線材１７と、この伝達線材１７の一端部（図４では左端部）に設けられて伝達ワイヤー１９を移動させるための入力操作部２０と、伝達線材１７の他端部（図４では右端部）に設けられ、且つ伝達ワイヤー１９の移動に連動して伝達線材１７の他端部から衝撃吸収性をもって出没する出力操作部２１と、を備えている。
【００２３】
伝達線材１７のチューブ１８は、図５（ａ）に示すように、アルミニウムなどの金属線を螺旋状に巻いた螺旋コイル１８ａと、この螺旋コイル１８ａの外周面を覆って設けられたウレタン樹脂などの軟質の合成樹脂からなる保護コート１８ｂとを備えている。これにより、このチューブ１８は、その軸方向に伸縮することがなく、軸方向と直交する方向に自由に屈曲するように構成されている。また、伝達線材１７の伝達ワイヤー１９は、図５（ｂ）に示すように、細い金属線を組み紐状に組み上げたものであり、チューブ１８と同様、軸方向に伸縮することがなく、軸方向と直交する方向に自由に屈曲するように構成されている。
【００２４】
入力操作部２０は、図４および図６に示すように、伝達線材１７のチューブ１８の一端部（図４では左端部）に取り付けられた入力ホルダ部２２と、伝達線材１７の伝達ワイヤー１９の一端部１９ａ（図４では左端部）に設けられて入力ホルダ部２２内にスライド可能に配置された入力押圧部２３と、入力ホルダ部２２内に設けられて入力押圧部２３を入力ホルダ部２２内から外部に向けて押し出すように付勢する入力付勢部２４とを備えている。
【００２５】
この場合、入力ホルダ部２２は、図４に示すように、円筒状に形成され、伝達線材１７側に位置する一端部側（図４では右端部）の内面に雌ねじ部２２ａが形成され、この雌ねじ部２２ａが伝達線材１７のチューブ１８の一端部における外周面に固着された入力取付部２５の雄ねじ部２５ａに螺着するように構成されている。また、この入力ホルダ部２２の内部におけるほぼ中間部には、鍔状のストッパ部２２ｂが環状に形成されている。さらに、伝達線材１７と反対側に位置する入力ホルダ部２２の他端部側（図４では左端部）の外周面には、入力取付溝２２ｃが環状に設けられている。
【００２６】
入力押圧部２３は、図４に示すように、入力ホルダ部２２の内径よりも少し小さい外径の円柱状に形成され、その外端部に鍔部２３ａが外周方向に突出して形成された構成になっている。これにより、入力押圧部２３は、その中心部に伝達ワイヤー１９の一端部１９ａが挿入されて固定され、この状態で鍔部２３ａと反対側に位置する部分が入力ホルダ部２２内にスライド可能に挿入されると共に、鍔部２３ａが入力ホルダ部２２の外端部に接離可能に当接するように構成されている。
【００２７】
入力付勢部２４は、図４に示すように、コイルばねなどのばね部材であり、入力押圧部２３が挿入される入力ホルダ部２２内における入力押圧部２３と伝達線材１７のチューブ１８の一端部（図４では左端部）との間に、それぞれワッシャ２４ａを介して配置され、この状態で入力押圧部２３を伝達ワイヤー１９と共に入力ホルダ部２２内から押し出す方向、つまり伝達ワイヤー１９の一端部１９ａの前方（図４では左方向）に向けて押し出しように付勢するように構成されている。
【００２８】
すなわちこの入力付勢部２４は、その内部に伝達ワイヤー１９が軸方向に沿って挿入され、この状態で外端部が入力押圧部２３の内端面にワッシャ２４ａを介して弾接し、内端部が入力ホルダ部２２内の中間部に設けられた鍔状のストッパ部２２ｂにワッシャ２４ａを介して弾接し、これにより入力押圧部２３を入力ホルダ部２２内から外部に押し出す方向に向けて付勢するように構成されている。
【００２９】
ところで、入力ホルダ部２２は、図４に示すように、伝達線材１７のチューブ１８に固着された入力取付部２５の雄ねじ部２５ａに対する雌ねじ部２２ａを緩めたり、締め付けたりして、入力ホルダ部２２を伝達線材１７の入力取付部２５に対してその軸方向に移動させることにより、入力押圧部２３が入力ホルダ部２２から外部に突出する長さを調整して、入力押圧部２３をスライドさせるための押圧力を調整するように構成されている。これにより、入力ホルダ部２２から外部に突出する入力押圧部２３の長さを調整するための、入力操作部２０の調整部が構成されている。
【００３０】
一方、出力操作部２１は、図４に示すように、伝達線材１７の他端部（図４では右端部）に位置するチューブ１８に設けられた出力ホルダ部２６と、伝達線材１７の他端部に位置する伝達ワイヤー１９の他端部１９ｂに取り付けられて出力ホルダ部２６内を移動するスライド部２７と、出力ホルダ部２６内に設けられてスライド部２７を出力ホルダ部２６内から外部に向けて押し出す方向に付勢する出力付勢部２８とを備えている。
【００３１】
また、この出力操作部２１は、図４に示すように、出力ホルダ部２６内にスライド可能に配置され、外端部が出力ホルダ部２６内から外部に突出した状態でスライド部２７のスライド動作に応じてスライドする操作接触部２９と、スライド部２７によって操作接触部２８が押し出される押出力を緩衝して操作接触部２８を弾力的に押し出すための緩衝部材３０とを更に備えている。
【００３２】
この場合、出力ホルダ部２６は、図４に示すように、円筒状に形成され、伝達線材１７側に位置する一端部側（図４では右端部）の内面に雌ねじ部２６ａが形成され、この雌ねじ部２６ａが伝達線材１７のチューブ１８の他端部（図４では右端部）における外周面に固着された出力取付部３１の雄ねじ部３１ａに螺着するように構成されている。また、伝達線材１７と反対側に位置する出力ホルダ部２６の他端部側（図４では左端部）における内周端部には、抜け止め用の突起部２６ｂが環状に設けられており、その外周面には、出力取付溝２６ｃが環状に設けられている。
【００３３】
スライド部２７は、図４に示すように、出力ホルダ部２６の内径よりも少し小さい外径の円柱状に形成され、その中心部に伝達ワイヤー１９の他端部１９ｂ（図４では右端部）が挿入されて固定された構成になっている。これにより、スライド部２７は、出力ホルダ部２６内にスライド可能に挿入され、伝達ワイヤー１９の移動に連動して出力ホルダ部２６内をスライドするように構成されている。
【００３４】
出力付勢部２８は、図４に示すように、コイルばねなどのばね部材であり、出力ホルダ部２６内におけるスライド部２７と伝達線材１７のチューブ１８の他端部（図４では右端部）との間にそれぞれワッシャ２８ａを介して配置されている。この場合、出力付勢部２８は、その内部に伝達ワイヤー１９が軸方向に沿って挿入され、この状態で外端部がスライド部２７の内端面にワッシャ２８ａを介して弾接し、内端部が伝達線材１７のチューブ１８の他端部にワッシャ２８ａを介してワッシャ２８ａを介して弾接するように構成されている。
【００３５】
これにより、出力付勢部２８は、図４に示すように、スライド部２７を出力ホルダ部２６内から外部に押し出す方向に向けて付勢することにより、入力付勢部２４と共に伝達ワイヤー１９の弛みを防ぐように構成されている。この場合、出力付勢部２８は、その付勢力が入力付勢部２４の付勢力と同じか、それよりも少し弱く形成され、これにより入力付勢部２４と出力付勢部２８との両方の付勢力が釣り合ったニュートラル状態を維持するように構成されている。
【００３６】
操作接触部２９は、図４に示すように、出力ホルダ部２６における抜け止め用の突起部２６ｂの内径よりも少し小さい外径の円柱状に形成され、その内端部に抜け止め用の鍔部２９ａが環状に設けられ、外端部である先端部にゴムやエラストマーなどの弾性材料からなる弾力部３２が設けられ、この弾力部３２がスライド部２７のスライド移動に伴って伝達線材１７のチューブ１８の他端部（図４では右端部）から出没方向に突出するように構成されている。
【００３７】
緩衝部材３０は、図４に示すように、スライド部２７の押出力を操作接触部２９に弾力的に伝達する第１付勢部材３３と、この第１付勢部材３３の付勢力を更に緩和して操作接触部２９に弾力的に伝達する第２付勢部材３４とを備えている。第１付勢部材３３は、コイルばねなどのばね部材であり、出力ホルダ部２６内におけるスライド部２７と操作接触部２９との間に配置され、操作接触部２９に対するスライド部２７の押出力を緩和するように構成されている。
【００３８】
また、第２付勢部材３４は、図４に示すように、コイルばねなどのばね部材であり、操作接触部２９の抜け止め用の鍔部２９ａと出力ホルダ部２６の抜け止め用の突起部２６ｂとの間に位置する操作接触部２９の外周に配置され、操作接触部２９に対するスライド部２７の押出力が第１付勢部材３３によって緩和された上、更に操作接触部２９に対する押出力を緩和することにより、衝撃吸収性をもって操作接触部２９の弾力部３２を押し出すように構成されている。すなわち、この第２付勢部材３４は、その付勢力である弾性力が第１付勢部材３３の付勢力である弾性力よりも弱く形成されている。
【００３９】
この場合にも、出力ホルダ部２６は、図４に示すように、伝達線材１７のチューブ１８に固着された出力取付部３０の雄ねじ部３０ａに対する雌ねじ部２６ａを緩めたり、締め付けたりして、出力ホルダ部２６を伝達線材１７の出力取付部３０に対してその軸方向に移動させることにより、操作接触部２９が出力ホルダ部２６から突出する長さを調整して、操作接触部２９の押出力を調整するように構成されている。これにより、出力ホルダ部２６から突出する操作接触部２９の長さを調整するための、出力操作部２１の調整部が構成されている。
【００４０】
そして、このような遠隔操作部材１６は、図４に示すように、入力操作部２０の入力押圧部２３が押圧操作されると、入力付勢部２４と出力付勢部２８との両方の付勢力のバランスが崩れて、伝達線材１７の伝達ワイヤー１９が入力押圧部２３によって押されると共に出力付勢部２８の付勢力によってチューブ１８内を移動し、この伝達ワイヤー１９の移動に伴って出力操作部２１のスライダ部２７が出力ホルダ２６内から押し出される方向に移動するように構成されている。
【００４１】
また、この遠隔操作部材１６は、図４に示すように、スライダ部２７が押し出される方向に移動すると、操作接触部２９が緩衝部材３０を介して押し出される方向に移動し、この操作接触部２９の外端部に設けられた弾力部３２が出力ホルダ部２６内から外部に向けて弾力的に押し出されるように構成されている。すなわち、緩衝部材３０は、操作接触部２９に対するスライド部２７の押出力が第１付勢部材３３によって緩和された上、更に操作接触部２９に対する押出力を緩和することにより、衝撃吸収性をもって操作接触部２９の弾力部３２を弾力的に押し出すように構成されている。
【００４２】
ところで、このような遠隔操作部材１６は、図２に示すように、伝達線材１７が鍵盤シャーシ３の下側に配置された状態で、伝達線材１７の一端部（図４では左側部）に位置する入力操作部２０が鍵４の前部（図４では左側部）に対応する鍵盤シャーシ３の前部に取り付けられ、伝達線材１７の他端部（図４では右側部）に位置する出力操作部２１が機器装着部８の前側近傍に位置する鍵盤シャーシ３に取り付けられている。
【００４３】
この場合、遠隔操作部材１６は、図２に示すように、白鍵用と黒鍵用との２種類に分かれて各鍵４ごとにそれぞれ配置されている。すなわち、白鍵用の遠隔操作部材１６は、図２および図６に示すように、その入力操作部２０が白鍵４ａの前部内に設けられた操作突起部４ｆに対応した状態で鍵盤シャーシ３に取り付けられている。
【００４４】
すなわち、鍵盤シャーシ３には、図６および図７に示すように、複数の入力取付孔３６が白鍵４ａの操作突起部４ｆにそれぞれ対応して設けられている。この入力取付孔３６は、図７に示すように、入力操作部２０の操作押圧部２３および入力ホルダ部２２が挿入する大径孔部３６ａと、入力ホルダ部２２の入力取付溝２２ｃが挿入する小径孔部３６ｂとを有し、これらが連続して形成されている。
【００４５】
これにより、白鍵用の入力操作部２０は、図７に示すように、操作押圧部２３および入力ホルダ部２２を鍵盤シャーシ３の前部に設けられた入力取付孔３６の大径孔部３６ａに下側から挿入させて入力ホルダ部２２の入力取付溝２２ｃに対応させ、この状態で入力ホルダ部２２を入力取付孔３６の小径孔部３６ｂに向けてスライドさせると、小径孔部３６ｂの縁部に入力取付溝２２ｃが挿入することにより、入力取付溝２２ｃに取り付けられている。
【００４６】
このため、この白鍵用の入力操作部２０は、図２、図６および図７に示すように、鍵盤シャーシ３に入力ホルダ部２２が垂直に起立した状態で取り付けられると共に、操作押圧部２３が白鍵４ａの操作突起部４ｆの下側に対応して配置され、この状態で白鍵４ａが押鍵操作された際に、その白鍵４ａの操作突起部４ｆによって、操作押圧部２３が押圧操作されるように構成されている。
【００４７】
また、この白鍵用の遠隔操作部材１６は、図２および図８に示すように、その出力操作部２１が機器装着部８の前側近傍（図２では左側近傍）に位置した状態で鍵盤シャーシ３に取り付けられている。すなわち、鍵盤シャーシ３には、図２に示すように、鍵盤シャーシ３の下側から挿入して上方に突出する挿入孔３７が、鍵盤部２の各鍵４に対応して設けられている。
【００４８】
また、鍵盤シャーシ３には、図２および図８に示すように、出力取付部３８が機器装着部８の前側近傍に起立した状態で鍵配列方向に沿って連続して形成されている。この出力取付部３８には、出力操作部２１の出力ホルダ部２６の出力取付溝２６ａが挿入する溝部３８ａが、携帯情報端末機器１５の入力表示部１５ｂに表示された鍵盤表示部の白鍵表示に対応して設けられている。
【００４９】
これにより、白鍵用の出力操作部２１は、図８に示すように、出力ホルダ部２６を鍵盤シャーシ３の挿入孔３７に下側から挿入させて上方に突出させ、この突出した出力ホルダ部２６を出力取付部３８の出力取付溝２６ａの上方に対応させ、この状態で出力ホルダ部２６の出力取付溝２６ａが出力取付部３８の溝部２８ａの縁部に挿入することにより、出力取付部３８に取り付けられている。
【００５０】
このため、この白鍵用の出力操作部２１は、図２および図８に示すように、鍵盤シャーシ１に出力ホルダ部２６がほぼ水平な状態で取り付けられると共に、操作接触部２９の弾力部３０が機器装着部８に装着された携帯情報端末機器１５の入力表示部１５ｂに表示された鍵盤表示部の白鍵表示に対応した状態で、携帯情報端末機器１５の入力表示部１５ｂに接離可能に接触するように構成されている。
【００５１】
一方、黒鍵用の遠隔操作部材１６は、図２および図５に示すように、その入力操作部２０が黒鍵４ｂの前部内に設けられた操作突起部４ｇに対応した状態で、鍵盤シャーシ３に取り付けられている。すなわち、鍵盤シャーシ３には、図８に示すように、黒鍵４ｂの操作突起部４ｇに対応する箇所に一段高い取付台座部３９が上方に突出して設けられており、この取付台座部３９には、白鍵４ａの場合と同様、大径孔部３６ａと小径孔部３６ｂとを有する入力取付孔３６が設けられている。
【００５２】
これにより、黒鍵用の入力操作部２０は、図７に示すように、操作押圧部２３および入力ホルダ部２２を鍵盤シャーシ３の取付台座部３９に設けられた入力取付孔３６の大径孔部３６ａに下側から挿入させて入力ホルダ部２２の入力取付溝２２ｃに対応させ、この状態で入力ホルダ部２２を入力取付孔３６の小径孔部３６ｂに向けてスライドさせると、小径孔部３６ｂの縁部に入力取付溝２２ｃが挿入することにより、入力取付孔３６に取り付けられている。
【００５３】
このため、この黒鍵用の入力操作部２０も、図２、図６および図７に示すように、鍵盤シャーシ１に入力ホルダ部２２が垂直に起立した状態で取り付けられると共に、操作押圧部２３が黒鍵４ｂの操作突起部４ｇの下側に対応して配置され、この状態で黒鍵４ｂが押鍵操作された際に、その黒鍵４ｂの操作突起部４ｇによって、操作押圧部２３が押圧操作されるように構成されている。
【００５４】
また、この黒鍵用の遠隔操作部材１６は、図２および図８に示すように、その出力操作部２１が機器装着部８の前側近傍（図２では左側近傍）に位置した状態で鍵盤シャーシ３に取り付けられている。すなわち、鍵盤シャーシ３には、白鍵用の遠隔操作部材１６と同様、鍵盤シャーシ３の下側から挿入して上方に突出する挿入孔３７が各鍵４に対応して設けられている。
【００５５】
また、鍵盤シャーシ３には、白鍵用の遠隔操作部材１６と同じ出力取付部３８が、機器装着部８の前側近傍に起立した状態で鍵配列方向に沿って連続して形成されている。この出力取付部３８には、出力操作部２１の出力ホルダ部２６の出力取付溝２６ａが挿入する溝部３８ｂが、白鍵４ａに対応する溝部３８ａよりも高い位置に設けられている。
【００５６】
これにより、黒鍵用の出力操作部２１は、白鍵用の遠隔操作部材１６と同様、出力ホルダ部２６を鍵盤シャーシ３の挿入孔３７に下側から挿入させて上方に突出させ、この突出した出力ホルダ部２６を出力取付部３８の出力取付溝２６ａの上方に対応させ、この状態で出力ホルダ部２６の出力取付溝２６ａが出力取付部３８の溝部３８ｂの縁部に挿入することにより、白鍵用の出力ホルダ部２６よりも高い位置で、出力取付部３８に取り付けられている。
【００５７】
このため、この黒鍵用の出力操作部２１は、白鍵用の遠隔操作部材１６と同様、鍵盤シャーシ１に出力ホルダ部２６がほぼ水平な状態で、白鍵用の出力ホルダ部２６よりも高い位置に取り付けられると共に、操作接触部２９の弾力部３０が機器装着部８に装着された携帯情報端末機器１５の入力表示部１５ｂに表示された鍵盤表示部の黒鍵に対応した状態で、携帯情報端末機器１５の入力表示部１５ｂに接離可能に接触するように構成されている。
【００５８】
次に、図９のブロック図を参照して、鍵盤楽器の回路構成について説明する。
この鍵盤楽器の回路構成は、楽器本体１の回路全般を制御するＣＰＵ（中央演算処理装置）４０と、予め定められたプログラムおよび入力されたデータを格納するメモリ部４１と、音量、音色、モード切替などの各種のスイッチを備えたスイッチ部７と、各鍵４の押鍵操作に応じてオン信号を出力する鍵盤部２と、ＣＰＵ４０からの指示に基づいて音源データを生成する音源部４２と、この音源部４２で生成された音源データに基づいて楽音データを生成するサウンドシステム４３とを備え、これらがバスライン４４で接続されている。
【００５９】
この場合、サウンドシステム４３は、音源部４２からの音源データに基づいて生成した楽音データをスピーカ部６に与えて、このスピーカ部６から楽音を放音させる。また、このサウンドシステム４３は、携帯情報端末機器１５などの外部機器の楽音データをコネクタ部１５ｃから取り込み、この取り込んだ楽音データに基づいて楽器本体１のスピーカ部６から楽音を放音させる。
【００６０】
次に、この鍵盤楽器の作用について説明する。
通常の鍵盤楽器として使用する場合には、まず、スイッチ部７のモード切替スイッチ７ａを通常の演奏モードに切り替える。この状態で、鍵盤部２の各鍵４を押鍵操作すると、押鍵操作された鍵４のスイッチ押圧部４ｅがスイッチ基板１０のゴムスイッチ１１を押圧する。このときには、鍵４の操作突起部４ｆ、４ｇによって遠隔操作部材１６の入力操作部２０が押圧操作されて伝達線材１７を介して出力操作部２１を出没動作させても、モード切替スイッチ７ａが通常の演奏モードに切り替わっているので、楽音の発生には関与しない。
【００６１】
このように、スイッチ基板１０のゴムスイッチ１１が押圧されると、ゴムスイッチ１１がオンしてオン信号を出力し、この出力されたオン信号に基づいてＣＰＵ４０が音源部４１に音源データの生成を指示し、この音源部４１で生成された音源データに基づいてサウンドシステム４３が楽音データを生成してスピーカ部６から楽音を放音する。これにより、鍵盤部２の各鍵４を押鍵操作して演奏を行うと、その演奏に応じた楽音がスピーカ部６から順次放音される。
【００６２】
また、鍵盤部２の各鍵４を押鍵操作した際に携帯情報端末機器１５から楽音を発音させる場合には、スイッチ部７のモード切替スイッチ７ａを操作して特殊な演奏モードに切り替え、楽器本体１の機器装着部８に携帯情報端末機器１５を装着する。このときには、携帯情報端末機器１５の入力表示部１５ｂに鍵盤表示部を表示させ、この状態で携帯情報端末機器１５を楽器本体１の機器装着部８に上方から挿入させて装着する。
【００６３】
すると、携帯情報端末機器１５の入力表示部１５ｂに表示された鍵盤表示部の各鍵にそれぞれ遠隔操作部材１６の各出力操作部２１が対応する。すなわち、携帯情報端末機器１５の入力表示部１５ｂに表示された鍵盤表示部の各鍵のうち、入力表示部１５ｂに表示された鍵盤表示部の白鍵には白鍵用の遠隔操作部材１６の各出力操作部２１が対応し、入力表示部１５ｂに表示された鍵盤表示部の黒鍵には黒鍵用の遠隔操作部材１６の各出力操作部２１が対応する。
【００６４】
この状態で、楽器本体１の鍵盤部２の各鍵４を押鍵操作すると、押鍵操作された鍵４のスイッチ押圧部４ｅがスイッチ基板１０のゴムスイッチ１１を押圧すると共に、鍵４の操作突起部４ｆ、４ｇが遠隔操作部材１６の入力操作部２０を押圧操作する。このときには、スイッチ基板１０のゴムスイッチ１１が鍵４のスイッチ押圧部４ｅによって押圧されてオンしても、モード切替スイッチ７ａが特殊な演奏モードに切り替わっているので、楽器本体１のスピーカ部６から楽音を発生することはない。
【００６５】
このように、鍵４が押鍵操作されると、鍵４の操作突起部４ｆ、４ｇによって遠隔操作部材１６の入力操作部２０が押圧操作されて伝達線材１７を介して出力操作部２１を出没動作させ、これにより出力操作部２１の操作接触部２９が、楽器本体１の機器装着部８に装着された携帯情報端末機器１５の入力表示部１５ｂをタッチ操作する。
【００６６】
すなわち、鍵４の操作突起部４ｆ、４ｇによって遠隔操作部材１６の入力操作部２０が押圧操作される際には、入力操作部２０の入力押圧部２３が入力ホルダ部２２内に押し込まれて伝達線材１７の伝達ワイヤー１９の一端部１９ａを押すと、入力操作部２０の入力付勢部２４と出力操作部２１の出力付勢部２８との両方の付勢力のバランスが崩れ、出力付勢部２８が伝達ワイヤー１９の他端部１９ｂを引っ張る。これにより、伝達ワイヤー１９がチューブ１８内を移動して、伝達ワイヤー１９の他端部１９ｂに取り付けられた出力操作部２１のスライド部２７が押し出される方向に移動する。
【００６７】
このときには、伝達ワイヤー１９の一端部１９ａが入力付勢部２４によって入力操作部２０の入力押圧部２３側に付勢され、伝達ワイヤー１９の他端部１９ｂが出力付勢部２８によって出力操作部２１のスライド部２７側に付勢されていることにより、伝達ワイヤー１９がチューブ１８内で弛むことなく、ニュートラル状態で張り渡されているので、伝達ワイヤー１９の一端部１９ａが押されると、伝達ワイヤー１９の他端部１９ｂが出力付勢部２８によって引っ張られ、スライド部２７が瞬時に押し出される方向に移動する。
【００６８】
このように、出力操作部２１のスライド部２７が押し出される方向に移動すると、操作接触部２９が緩衝部材３０によって緩衝されながら出力ホルダ部２６内から押し出される方向に移動し、操作接触部２８の外端部の弾力部３２が携帯情報端末機器１５の入力表示部１５ｂに弾力的に接触する。すなわち、出力操作部２１のスライド部２７によって操作接触部２８が押される際には、スライド部２７の押出力が、緩衝部材３０の第１付勢部材３３によって緩衝されると共に、緩衝部材３０の第２付勢部材３４によっても更に緩衝される。
【００６９】
このため、操作接触部２８は、衝撃吸収性をもって押し出されるので、携帯情報端末機器１５の入力表示部１５ｂを傷つけることなく、操作接触部２８の外端部の弾力部３２を携帯情報端末機器１５の入力表示部１５ｂに弾力的に接触させることができる。これにより、鍵４の押鍵操作に応じて遠隔操作部材１６の出力操作部２１の操作接触部２９が携帯情報端末機器１５の入力表示部１５ｂをタッチ操作することができ、このタッチ操作された携帯情報端末機器１５のスピーカから押鍵操作された鍵４に応じた楽音を発生させることができる。
【００７０】
すなわち、鍵盤部２の白鍵４ａが押鍵操作された際には、これに対応する白鍵用の遠隔操作部材１６の入力操作部２０が押圧操作されるので、この白鍵用の遠隔操作部材１６における出力操作部２１の操作接触部２９が携帯情報端末機器１５の入力表示部１５ｂに表示された白鍵に対応する箇所をタッチ操作することができ、これにより携帯情報端末機器１５のスピーカ部から押鍵操作された白鍵４ａに対応する楽音を発生させることができる。
【００７１】
同様に、鍵盤部２の黒鍵４ｂが押鍵操作された際には、これに対応する黒鍵用の遠隔操作部材１６の入力操作部２０が押圧操作されるので、この黒鍵用の遠隔操作部材１６における出力操作部２１の操作接触部２９が携帯情報端末機器１５の入力表示部１５ｂに表示された黒鍵に対応する箇所をタッチ操作することができ、これにより携帯情報端末機器１５のスピーカ部から押鍵操作された黒鍵４ｂに対応する楽音を発生させることができる。
【００７２】
ところで、このように携帯情報端末機器１５を楽器本体１の機器装着部８に装着した状態で、携帯情報端末機器１５を接続ケーブル４６によって楽器本体１のコネクタ部１５ｃに接続した場合には、携帯情報端末機器１５から楽音情報をサウンドシステム４３に取り込むことができ、この取り込んだ楽音情報に基づいて楽器本体１のスピーカ部６から楽音を発生させることができる。
【００７３】
このように、この鍵盤楽器によれば、演奏に応じて楽音を選択する鍵盤部２を有し、この鍵盤部２の鍵盤操作に応じてスピーカ部６から楽音を発生する楽器本体１と、入力表示部１５ｂのタッチ入力操作に応じて情報を表示すると共にスピーカ部から音を発生する携帯情報端末機器１５と、楽器本体１の鍵盤部２の鍵盤操作に応じて携帯情報端末機器１５の入力表示部１５ｂをタッチ操作するフレキシブルな遠隔操作部材１６と、を備えていることにより、楽器本来の演奏性をもって携帯情報端末機器１５から楽音を良好に発生させて演奏を楽しむことができる。
【００７４】
すなわち、この鍵盤楽器では、楽器本体１の鍵盤部２を鍵盤操作して携帯情報端末機器１５のスピーカから楽音を発生させる際に、フレキシブルな遠隔操作部材１６によって携帯情報端末機器１５の入力表示部１５ｂを楽器本体１の鍵盤部２の鍵盤操作に応じてタッチ操作することができる。このため、楽器本体１の鍵盤部２によるリアルな演奏操作ができ、楽器本体１の鍵盤部２における鍵盤操作による鍵タッチ感を楽しみながら、携帯情報端末機器１５のスピーカ部からの楽音を聴くことができるので、楽器本来の演奏性をもって携帯情報端末機器１５から楽音を良好に発生させて演奏を楽しむことができる。
【００７５】
この場合、楽器本体１には、携帯情報端末機器１５を着脱可能に装着する機器装着部８が設けられており、遠隔操作部材１６は、楽器本体１内における鍵盤部２と機器装着部８との間に設けられ、且つ機器装着部８に装着された携帯情報端末機器１５の入力表示部１５ｂを弾力的にタッチ操作する構成であることにより、楽器本体１に対する携帯情報端末機器１５の装着性が良いばかりか、携帯情報端末機器１５を楽器本体１の機器装着部８に装着するだけで、鍵盤部２の鍵盤操作に応じて携帯情報端末機器１５の入力表示部１５ｂを遠隔操作部材１６によって確実に且つ良好にタッチ操作することができる。
【００７６】
また、遠隔操作部材１６は、フレキシブルなチューブ１８内に伝達ワイヤー１９が移動可能に設けられた伝達線材１７と、この伝達線材１７の一端部に設けられて伝達ワイヤー１９を押圧操作に応じて移動させるための入力操作部２０と、伝達線材１７の他端部に設けられて伝達ワイヤー１９の移動に連動して伝達線材１７の他端部から衝撃吸収性をもって出没する出力操作部２１と、を備えていることにより、入力操作部２０と出力操作部２１とが離れていても、入力操作部２０の押圧操作に応じて出力操作部２１を確実に且つ良好に出没させることができる。
【００７７】
この場合、入力操作部２０は伝達線材１７の伝達ワイヤー１９の一端部１９ａをその一端部側に向けて付勢する入力付勢部２４を備え、出力操作部２１は伝達ワイヤー１９の他端部１９ｂをその他端部側に向けて付勢する出力付勢部２８を備え、伝達ワイヤー１９は入力付勢部２４と出力付勢部２８との両方の付勢力によって弛むことなくニュートラル状態で引っ張られていることにより、入力操作部２０側が押されて伝達ワイヤー１９の一端部１９ａが押されると、入力付勢部２４と出力付勢部２８との両方の付勢力のバランスが崩れるので、伝達ワイヤー１９をその他端部１９ｂ側に向けて速やかに移動させることができ、これにより入力操作部２０の押圧操作を出力操作部２１に瞬時に伝達することができる。
【００７８】
また、出力操作部２１は、伝達線材１７の他端部に位置するチューブ１８に設けられた出力ホルダ部２６と、伝達線材１７の伝達ワイヤー１９の他端部１９ｂに取り付けられて出力ホルダ部２６内を移動するスライド部２７と、出力ホルダ部２６内にスライド可能に配置され、外端部が出力ホルダ部２６内から外部に突出した状態でスライド部２７のスライド動作に応じてスライドする操作接触部２９と、スライド部２７によって操作接触部２９が押し出される押出力を緩衝して操作接触部２９を弾力的に押し出すための緩衝部材３０と、を備えていることにより、出力操作部２１の操作接触部２９が入力操作部２０の押圧操作に応じて押し出される際に、衝撃吸収性をもって操作接触部２９を押し出すことができる。
【００７９】
すなわち、出力操作部２１は、そのスライド部２７が押し出される際に、操作接触部２９が緩衝部材３０によって緩衝されながら出力ホルダ部２６内から押し出されるので、衝撃吸収性をもって操作接触部２９を押し出すことができる。このため、操作接触部２８を携帯情報端末機器１５の入力表示部１５ｂに弾力的に接触させることができ、これにより携帯情報端末機器１５の入力表示部１５ｂを傷つけることがなく、操作接触部２８によって携帯情報端末機器１５の入力表示部１５ｂを良好にタッチ操作することができる。
【００８０】
この場合、緩衝部材３０は、スライド部２７の押出力を操作接触部２９に弾力的に伝達する第１付勢部材３２と、この第１付勢部材３３の付勢力を更に緩和して操作接触部２９に弾力的に伝達する第２付勢部材３４とを備えていることにより、スライド部２７が押し出し方向に移動して、操作接触部２９が緩衝部材３０によって緩衝されながら出力ホルダ部２６内から押し出される際に、スライド部２７の押出力を、緩衝部材３０の第１付勢部材３３によって緩衝することができると共に、緩衝部材３０の第２付勢部材３４によっても更に緩衝することができるので、衝撃吸収性をもたせて確実に且つ良好に操作接触部２９を弾力的に押し出すことができる。
【００８１】
また、出力操作部２１は、操作接触部２９の外端部における出力ホルダ部２６内から外部に突出する突出長さを調整する調整部を備えていることにより、操作接触部２９の先端部の押出力を調整することができる。すなわち、この調整部は、出力ホルダ部２６の内周面に設けられた雌ねじ部２６ａと、伝達線材１７のチューブ１８に固着された出力取付部３０の雄ねじ部３０ａとからなり、この雄ねじ部３０ａに対する雌ねじ部２６ａを緩めたり、締め付けたりして、出力ホルダ部２６を伝達線材１７の出力取付部３０に対してその軸方向に移動させることにより、操作接触部２９が出力ホルダ部２６から突出する長さを調整して、操作接触部２９の押出力を正確に且つ確実に調整することができる。
【００８２】
さらに、操作接触部２９の外端部には、弾性変形可能な弾力部３２が設けられていることにより、操作接触部２８が携帯情報端末機器１５の入力表示部１５ｂに接触する際に、弾力部３２を携帯情報端末機器１５の入力表示部１５ｂに弾力的に接触させることができるので、これによっても携帯情報端末機器１５の入力表示部１５ｂを傷つけることがなく、操作接触部２８の弾力部３２によって、より一層、携帯情報端末機器１５の入力表示部１５ｂを良好にタッチ操作することができる。
【００８３】
（実施形態２）
次に、図１０〜図１２を参照して、この発明を管楽器に適用した実施形態２について説明する。なお、図１〜図９に示された実施形態１と同一部分には同一符号を付して説明する。
この管楽器は、図１０に示すように、サクスホーンであり、湾曲した筒状の楽器本体５０を備えている。この楽器本体５０は、上部が細く、下部に向かうに従って次第に太くなり、その下部が上側に向けて湾曲しながら更に太くなる筒状に形成されている。
【００８４】
この楽器本体５０の上端部には、図１０に示すように、マウスピース５１が設けられており、楽器本体５０の上下に位置する前側部（図１０では左側部）には、複数の操作部５２が設けられている。この複数の操作部５２は、それぞれピストン部である。また、楽器本体５０の内部における下部には、回路基板５３が設けられていると共に、スピーカ部５４が設けられている。このスピーカ部５４は、接続ケーブル５５によって回路基板５３と電気的に接続されている。
【００８５】
また、この楽器本体５０における下側の先端部の内部、つまり下側から上側に向けて湾曲した楽器本体５０の内部には、図１０〜図１２に示すように、機器装着部５６が設けられている。この機器装着部５６は、実施形態１と同様、携帯情報端末機器１５が着脱可能に装着するように構成されている。この場合、機器装着部５６の下部には、台座部５７が上下方向に移動可能に設けられている。
【００８６】
この台座部５７は、図１１および図１２に示すように、その下部にコイルばねなどのばね部材５８が設けられている。これにより、台座部５７８は、携帯情報端末機器１５が楽器本体５０の機器装着部５６に装着された際に、ばね部材５８のばね力に抗して押し下げられ、また携帯情報端末機器１５が楽器本体５０の機器装着部５６から取り外された際に、ばね部材５８のばね力によって押し上げられるように構成されている。
【００８７】
また、この台座部５７の一側部（図１２では右側部）には、図１１および図１２に示すように、スイッチ基板６０が起立した状態で設けられている。このスイッチ基板６０における携帯情報端末機器１５の入力表示部１５ｂと反対側に位置する面には、複数のスイッチ部６１が楽器本体５０の各操作部５２にそれぞれ対応して設けられている。この複数のスイッチ部６１は、タッチスイッチであり、フレキシブルなフイルム配線基板６２によって回路基板５３と電気的に接続されている。
【００８８】
ところで、楽器本体５０の内部には、図１０に示すように、楽器本体５０に設けられた複数の操作部５２の演奏操作に応じて、スイッチ基板６０の各スイッチ部６１と携帯端末機器１５の入力表示部１５ｂとのいずれか一方をタッチ操作するフレキシブルな遠隔操作部材１６が複数の操作部５２にそれぞれ対応して設けられている。この遠隔操作部材１６は、実施形態１とほぼ同じ構成になっている。
【００８９】
すなわち、この遠隔操作部材１６は、実施形態１と同様、フレキシブルなチューブ１８内に伝達ワイヤー１９が移動可能に設けられた伝達線材１７と、この伝達線材１７の一端部（図１０では右上部）に設けられて伝達ワイヤー１９を移動させるための入力操作部を兼ねる楽器本体１の操作部５２と、伝達線材１７の他端部（図１０では左下部）に設けられ、且つ伝達ワイヤー１９の移動に連動して伝達線材１７の他端部から衝撃吸収性をもって出没する出力操作部２１と、を備えている。
【００９０】
この場合、操作部５２は、図４に示した実施形態１の入力操作部２０と同様、伝達線材１７のチューブ１８の一端部（図４では左端部）に取り付けられた入力ホルダ部２２と、伝達線材１７の伝達ワイヤー１９の一端部に設けられて入力ホルダ部２２内にスライド可能に配置された入力押圧部２３と、入力ホルダ部２２内に設けられて入力押圧部２３を入力ホルダ部２２内から外部に向けて押し出すように付勢する入力付勢部２４とを備えている。これにより、操作部５２は、入力ホルダ部２２が楽器本体５０に固定され、この状態で入力押圧部２３がピストン部として楽器本体５０の外部に出没可能に突出するように構成されている（図４参照）。
【００９１】
また、出力操作部２１は、図４に示した実施形態１と同様、伝達線材１７の他端部に位置するチューブ１８に設けられた出力ホルダ部２６と、伝達線材１７の他端部に位置する伝達ワイヤー１９に取り付けられて出力ホルダ部２６内を移動するスライド部２７と、出力ホルダ部２６内に設けられてスライド部２７を出力ホルダ部２６内から外部に向けて押し出す方向に付勢する出力付勢部２８と、出力ホルダ部２６内にスライド可能に配置され、先端部が出力ホルダ部２６内から外部に突出した状態でスライド部２７のスライド動作に応じて弾力的にスライドする操作接触部２９と、スライド部２７によって操作接触部２８が押し出される押出力を緩衝する緩衝部材３０とを備えている（図４参照）。
【００９２】
これにより、出力操作部２１は、図１０に示すように、その出力ホルダ部２６が楽器本体５０内に設けられた取付部６３に取り付けられ、この状態で楽器本体１の操作部５２が操作された際に、操作接触部２９の外端部に設けられた弾力部３２（図４参照）が、機器装着部５６のスイッチ基板６０のスイッチ部６１、または機器装着部５６に装着された携帯情報端末機器１５の入力表示部１５ｂをタッチ操作するように構成されている。
【００９３】
次に、この管楽器の作用について説明する。
通常の管楽器として使用する場合には、まず、機器装着部５６から携帯情報端末機器１５を取り外す。すると、図１２に示すように、機器装着部５６の台座部５７がばね部材５８のばね力によって押し上げられ、これに伴ってスイッチ基板６０が上側に移動して、スイッチ基板６０の複数のスイッチ部６１が複数の遠隔操作部材１６の各出力操作部２１にそれぞれ対応する。
【００９４】
この状態で、マウスピース５１に口を当てて息を吹き込みながら、複数の操作部５２を演奏に応じて操作する。すると、操作部５３の操作に応じて遠隔操作部材１６の伝達ワイヤー１９を介して出力操作部２１の操作接触部２９が押し出され、この操作接触部２９の弾力部３２がスイッチ基板６０のスイッチ部６１をタッチ操作する。これにより、スイッチ部６１がオン信号を出力し、そのオン信号によって楽音データが作成され、この楽音データに基づいてスピーカ部５４から楽音が放音される。
【００９５】
また、携帯情報端末機器１５を用いて管楽器を演奏する場合には、まず、携帯情報端末機器１５の入力表示部１５ｂにサクスホーンのピストン部に相当する複数の操作部を表示させ、この携帯情報端末機器１５を楽器本体５０の機器装着部５６に装着する。すると、図１１に示すように、機器装着部５６の台座部５７がばね部材５８のばね力に抗して押し下げられる。
【００９６】
これにより、スイッチ基板６０が下側に移動して遠隔操作部材１６の出力操作部２１から離脱し、この遠隔操作部材１６の出力操作部２１に携帯情報端末機器１５の入力表示部１５ｂに対面し、この入力表示部１５ｂに表示された複数の操作表示部に複数の遠隔操作部材１６の各出力操作部２１がそれぞれ対応する。
【００９７】
この状態で、マウスピース５１に口を当てて息を吹き込みながら、複数の操作部５２を演奏に応じて操作する。すると、操作部５２の操作に応じて遠隔操作部材１６の伝達ワイヤー１９を介して出力操作部２１の操作接触部２９が押し出され、この操作接触部２９の弾力部３２が携帯情報端末機器１５の入力表示部１５ｂに表示された操作表示部をタッチ操作する。これにより、タッチ操作された携帯情報端末機器１５のスピーカ部から押圧操作された操作部５２に応じた楽音を発生させることができる。
【００９８】
このように、この管楽器によれば、演奏に応じて楽音を選択する複数の操作部５２を有し、この複数の操作部５２の演奏操作に応じてスピーカ部５４から楽音を発生する楽器本体５０と、入力表示部１５ｂのタッチ入力操作に応じて情報を表示すると共にスピーカ部から音を発生する携帯情報端末機器１５と、楽器本体１の操作部５２の演奏操作に応じて携帯情報端末機器１５の入力表示部１５ｂをタッチ操作するフレキシブルな遠隔操作部材１６と、を備えていることにより、楽器本来の演奏性をもって携帯情報端末機器１５から楽音を良好に発生させて演奏を楽しむことができる。
【００９９】
すなわち、この管楽器では、楽器本体５０の操作部５２を演奏操作して携帯情報端末機器１５のスピーカから楽音を発生させる際に、フレキシブルな遠隔操作部材１６によって携帯情報端末機器１５の入力表示部１５ｂを楽器本体５０の操作部５２の押圧操作に応じてタッチ操作することができる。このため、楽器本体５０の複数の操作部５２によるリアルな演奏操作ができ、楽器本体５０の複数の操作部５２における演奏操作によるタッチ感を楽しみながら、携帯情報端末機器１５のスピーカ部からの楽音を聴くことができるので、楽器本来の演奏性をもって携帯情報端末機器１５から楽音を良好に発生させて演奏を楽しむことができる。
【０１００】
この場合、楽器本体５０には、携帯情報端末機器１５を着脱可能に装着する機器装着部５６が設けられており、遠隔操作部材１６は、楽器本体５０内における操作部５２と機器装着部５６との間に設けられ、且つ機器装着部５６に装着された携帯情報端末機器１５の入力表示部１５ｂを弾力的にタッチ操作する構成であることにより、楽器本体５０に対する携帯情報端末機器１５の装着性が良いばかりか、携帯情報端末機器１５を楽器本体５０の機器装着部５６に装着するだけで、操作部５２の押圧操作に応じて携帯情報端末機器１５の入力表示部１５ｂを遠隔操作部材１６によって確実に且つ良好にタッチ操作することができる。
【０１０１】
また、遠隔操作部材１６は、フレキシブルなチューブ１８内に伝達ワイヤー１９が移動可能に設けられた伝達線材１７と、この伝達線材１７の一端部に設けられて伝達ワイヤー１９を押圧操作に応じて移動させるための入力操作部である操作部５２と、伝達線材１７の他端部に設けられて伝達ワイヤー１９の移動に連動して伝達線材１７の他端部から衝撃吸収性をもって出没する出力操作部２１と、を備えていることにより、実施形態１と同様、操作部５２と出力操作部２１とが離れていても、操作部５２の演奏操作に応じて出力操作部２１を確実に且つ良好に出没させることができる。
【０１０２】
この場合にも、操作接触部２９の外端部には、弾性変形可能な弾力部３２が設けられていることにより、実施形態１と同様、操作接触部２８が携帯情報端末機器１５の入力表示部１５ｂに接触する際に、弾力部３２を携帯情報端末機器１５の入力表示部１５ｂに弾力的に接触させることができるので、これによっても携帯情報端末機器１５の入力表示部１５ｂを傷つけることがなく、操作接触部２８の弾性部３２によって、より一層、携帯情報端末機器１５の入力表示部１５ｂを良好にタッチ操作することができる。
【０１０３】
なお、上記実施形態２では管楽器としてサクスホーンに適用した場合について述べたが、必ずしもサクスホーンである必要はなく、例えばチューバ、フルート、ピッコロ、縦笛、横笛、尺八などの管楽器にも広く適用することができる。
【０１０４】
また、上記実施形態１、２では、鍵盤楽器と管楽器とに適用した場合について述べたが、必ずしも鍵盤楽器や管楽器である必要はなく、例えばギター、マンドリン、三味線などの弦楽器にも適用することができる。この場合には、ギターなどの弦楽器の指板に対応する箇所に遠隔操作部材１６の入力操作部２０を配置するように構成すれば良い。
【０１０５】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０６】
（付記）
請求項１に記載の発明は、演奏に応じて楽音を選択する操作部を有し、この操作部の演奏操作に応じてスピーカ部から楽音を発生する楽器本体と、入力表示部のタッチ入力操作に応じて情報を表示すると共にスピーカ部から音を発生する携帯情報端末機器と、前記楽器本体の前記操作部の演奏操作に応じて前記携帯情報端末機器の前記入力表示部をタッチ操作するフレキシブルな遠隔操作部材と、を備えていることを特徴とする楽器である。
【０１０７】
請求項２に記載の発明は、請求項１に記載の楽器において、前記楽器本体には前記携帯情報端末機器を着脱可能に装着する機器装着部が設けられており、前記遠隔操作部材は、前記楽器本体内における前記操作部と前記機器装着部との間に設けられ、且つ前記機器装着部に装着された前記携帯情報端末機器の前記入力表示部を弾力的にタッチ操作することを特徴とする楽器である。
【０１０８】
請求項３に記載の発明は、フレキシブルなチューブ内に伝達ワイヤーが移動可能に設けられた伝達線材と、この伝達線材の一端部に設けられて前記伝達ワイヤーを押圧操作に応じて移動させるための入力操作部と、前記伝達線材の他端部に設けられて前記伝達ワイヤーの移動に連動して前記伝達線材の前記他端部から衝撃吸収性をもって出没する出力操作部と、を備えていることを特徴とする遠隔操作部材である。
【０１０９】
請求項４に記載の発明は、請求項３に記載の遠隔操作部材において、前記入力操作部は前記伝達線材の前記伝達ワイヤーの前記一端部をその一端部側に向けて押し出す方向に付勢する入力付勢部を有し、前記出力操作部は前記伝達ワイヤーの前記他端部をその他端部側に向けて押し出す方向に付勢する出力付勢部を有し、前記伝達ワイヤーは前記入力付勢部と前記出力付勢部との両方の付勢力によって弛むことなく、ニュートラル状態で引っ張られていることを特徴とする遠隔操作部材である。
【０１１０】
請求項５に記載の発明は、請求項３または請求項４に記載の遠隔操作部材において、前記出力操作部は、前記伝達線材の前記他端部に位置する前記チューブに設けられた出力ホルダ部と、前記伝達線材の前記伝達ワイヤーの前記他端部に取り付けられて前記出力ホルダ部内を移動するスライド部と、前記出力ホルダ部内にスライド可能に配置され、外端部が前記出力ホルダ部内から外部に突出した状態で前記スライド部のスライド動作に応じてスライドする操作接触部と、前記スライド部によって前記操作接触部が押し出される押出力を緩衝して前記操作接触部を弾力的に押し出すための緩衝部材と、を備えていることを特徴とする遠隔操作部材である。
【０１１１】
請求項６に記載の発明は、請求項５に記載の遠隔操作部材において、前記緩衝部材は、前記スライド部の押出力を前記操作接触部に弾力的に伝達する第１付勢部と、この第１付勢部の付勢力を更に緩和して前記操作接触部に弾力的に伝達する第２付勢部とを備えていることを特徴とする遠隔操作部材である。
【０１１２】
請求項７に記載の発明は、請求項５または請求項６に記載の遠隔操作部材において、前記操作接触部の前記外端部における前記出力ホルダ部内から外部に突出する突出長さを調整する調整部を備えていることを特徴とする遠隔操作部材である。
【０１１３】
請求項８に記載の発明は、請求項５〜請求項７のいずれかに記載の遠隔操作部材において、前記操作接触部の前記外端部には弾性変形可能な弾力部が設けられていることを特徴とする遠隔操作部材である。
【符号の説明】
【０１１４】
１、５０  楽器本体
２  鍵盤部
４  鍵
６、５４  スピーカ部
７  スイッチ部
８、５６  機器装着部
１０、６０  スイッチ基板
１１  ゴムスイッチ
１２、５３  回路基板
１５  携帯情報端末機器
１５ａ  入力表示部
１６  遠隔操作部材
１７  伝達線材
１８  チューブ
１９  伝達ワイヤー
１９ａ  伝達ワイヤーの一端部
１９ｂ  伝達ワイヤーの他端部
２０  入力操作部
２１  出力操作部
２２  入力ホルダ部
２３  入力押圧部
２４  入力付勢部
２６  出力ホルダ部
２７  スライド部
２８  出力付勢部
２９  操作接触部
３０  緩衝部材
３２  弾力部
３３  第１付勢部
３４  第２付勢部
５２  操作部
６１  スイッチ部
【図１】
2012194247.tif 000003
【図２】
2012194247.tif 000004
【図３】
2012194247.tif 000005
【図４】
2012194247.tif 000006
【図５】
2012194247.tif 000007
【図６】
2012194247.tif 000008
【図７】
2012194247.tif 000009
【図８】
2012194247.tif 000010
【図９】
2012194247.tif 000011
【図１０】
2012194247.tif 000012
【図１１】
2012194247.tif 000013
【図１２】
2012194247.tif 000014